(57)【要約】【課題】食品包装用ラップフィルムを収納箱から引き出して切断する際の抵抗、特に、ラップフィルムを、収納箱に取り付けられた切断刃のいずれかの端部から切断を開始する場合、初期のカット抵抗を小さくさせることによって全体的なカット性を向上させたラップフィルム用収納箱を提供すること  【解決手段】  収納箱の切断刃が取り付けられた部位、即ち、掩蓋片又は前板の長手方向の両端辺の少なくとも片辺の先端領域を前板側又は収納室の内側に傾斜させる。【選択図】図５
2007269378.tif 000002
【特許請求の範囲】
【請求項１】
前板１、底板２、後板３、脇板７、前板補助脇板６、及び後板補助脇板８の各面で形成される上部が開口した収納室１１と、その収納室１１の後板３の上端縁から開閉可能で収納室１１を覆う方向に連接した蓋板４と、その蓋板４の前端縁から前板１を覆う方向に延出した掩蓋片５と、掩蓋片脇板９、掩蓋片補助脇板１０の各面で形成される蓋体１２からなる直方体の箱体と、前記収納室１１に収納される巻筒体Ｚからなり、掩蓋片５の先端部に巻筒体Ｚから引き出されたラップフィルムを切断するための切断刃Ｃが備えられたラップフィルム用収納箱において、掩蓋片５の長手方向の両端辺の少なくとも片辺の先端領域２０が前板１側に傾斜していることを特徴とするラップフィルム用収納箱。
【請求項２】
前板１、底板２、後板３、及び脇板７、前板補助脇板６、後板補助脇板８の各面で形成される上部が開口した収納室１１と、その収納室１１の後板３の上端縁から開閉可能で収納室１１を覆う方向に連接した蓋板４と、その蓋板４の前端縁から前板１を覆う方向に延出した掩蓋片５と、掩蓋片脇板９、掩蓋片補助脇板１０の各面で形成される蓋体１２からなる直方体の箱体と、前記収納室１１に収納される巻筒体Ｚからなり、掩蓋片５の先端部に巻筒体Ｚから引き出されたラップフィルムを切断するための切断刃Ｃが備えられたラップフィルム用収納箱において、掩蓋片５の長手方向の両端辺の少なくとも片辺の先端領域２０が前板１側に傾斜を有しており、且つ前記切断刃Ｃの各刃先の先端を結ぶ仮想線が、切断刃Ｃの両端に向かうほど底板２方向に傾斜した、曲線及び／又は複数の直線の組み合わせからなり、且つその最両端の刃先の位置は、中央部分の刃先の位置より２ｍｍ〜１５ｍｍ底板２方向に突出していることを特徴とするラップフィルム用収納箱。
【請求項３】
前板１、底板２、後板３、及び脇板７、前板補助脇板６、後板補助脇板８の各面で形成される上部が開口した収納室１１と、その収納室１１の後板３の上端縁から開閉可能で収納室１１を覆う方向に連接した蓋板４と、その蓋板４の前端縁から前板１を覆う方向に延出した掩蓋片５と、掩蓋片脇板９、掩蓋片補助脇板１０の各面で形成される蓋体１２からなる直方体の箱体と、前記収納室１１に収納される巻筒体Ｚからなり、前板１の先端部に巻筒体Ｚから引き出されたラップフィルムを切断するための切断刃Ｃが備えられたラップフィルム用収納箱において、前板１の長手方向の両端辺の少なくとも片辺の先端領域３０が収納室１１の内側に傾斜していることを特徴とするラップフィルム用収納箱。
【発明の詳細な説明】
【技術分野】
【０００１】
本発明は、食品包装用のラップフィルム、アルミホイル等（以下、食品包装用のフィルム、ホイル等を、ラップフィルム、と称す）を巻回したラップフィルム用の収納箱に関する。特に、巻筒体から引き出されたラップフィルムの一側端から他側端にラップフィルムを切断するのに好適なラップフィルム用収納箱に関する。
【背景技術】
【０００２】
ラップフィルムは、通常、紙製の芯体に巻回された巻筒体が、紙製の直方体の箱に収納されている。収納箱に収納されたラップフィルムは、使用時に必要量を引き出して、収納箱に取り付けられている切断刃によって切断される。従来からこの種の収納箱に関しては、切断性、切れ味の向上などが追求されてきた。
従来の収納箱に取り付けられた切断刃を用いてラップフィルムを切断する場合、その動作は多種多様である。中でも、切断刃が掩蓋片の先端部に取り付けられた収納箱の場合は、概ね以下の３種類の動作に大別される。
【０００３】
以下の（１）〜（３）の動作時、収納箱の蓋体は閉じられており、掩蓋片の中央部に収納箱の持ち手の親指が添えられ、他方の手はラップフィルム先端の中央部を持っているものとする。
（１）片手に収納箱を、他方の片手に引き出したラップフィルムを持ち、両手はほぼ水平関係を維持する。次に、収納箱を持つ片手はほぼ固定したままラップフィルムを上方に持ち上げ、切断刃とラップフィルムに角度を与えてラップフィルムの端部から順次切断する。
（２）片手に収納箱を、他方の片手に引き出したラップフィルムを持ち、両手はほぼ水平関係を維持する。次に、ラップフィルムを持つ片手はほぼ固定したまま収納箱を外側に開くように動作し、ラップフィルムの片端に張力を与えて端部から順次切断する。
（３）片手に収納箱を、他方の片手に引き出したラップフィルムを持ち、両手はほぼ水平関係を維持する。次に、ラップフィルムを持つ片手はほぼ固定したまま収納箱を持った手首を下方に回転させ（手首を捻る）、ラップフィルムを中央から両端部へ順次切断する。
【０００４】
ラップフィルムの切断時のカット抵抗に関しては、上記の（１）と（２）の切断方法の場合、切断刃が直線状又はアーチ状（蓋板方向に凸形状）のものが有利であり、（３）の場合は切断刃がＶ字状（底板方向に凸形状）のものが有利である傾向がある。
ラップフィルムの切断能力を向上させる方法として、例えば、シート状物に対して切断刃の刃先の当接する角度を１０〜８０度とするために、刃先部分全体を折り曲げる方法が開示されている（特許文献１参照）。別の例では、鋸歯状の打抜部と連結部を介した前面板と折返し板とを一方の鋸歯状谷部と他方の鋸歯状山部とを重ねる方法が開示されている（特許文献２参照）。更に別の例では、掩蓋片用側板に配列させた補助側板と切断用側板とを貼り合わせて合板補強するような方法が開示されている（特許文献３参照）。
【０００５】
しかし、特許文献１で開示されたシート状物収納体では、切断刃自体が収納体側に角度をつけた折れ曲がりの状態で設けられているため、輸送時や、製函工程の給紙時や、使用中の蓋体の開閉操作によって印刷面のこすれ傷が発生して紙紛が発生したり、傷によって収納箱の意匠性が阻害される問題がある。また、切断刃を母材から打ち抜く前に刃先となる部分を折り曲げる工程が必要であるため、金型等の磨耗が早く、耐久性が低い問題がある。
特許文献２で開示されたラップフィルム用カートンでは、鋸歯状歯山部が密に並ぶので、ラップフィルムの切断時に応力が分散し、カット抵抗が増加する問題がある。また、連結部には歯山が存在しないので、カット抵抗が不連続となり、使用者に違和感を与える問題がある。
特許文献３で開示された板紙の合板補強は掩蓋片部分を三重に重ねるため、カートン原紙を余分に必要とし、折り返し工程の導入もコスト増に繋がる問題がある。また、開封片部分の板紙が二重になるため、開封操作性が悪化する問題がある。
【特許文献１】特開２０００−１９０９５７号公報
【特許文献２】実開平５−２６８２１号公報
【特許文献３】特開平５−１６２７４４号公報
【発明の開示】
【発明が解決しようとする課題】
【０００６】
本発明は、収納箱の製造工程の追加や変更、収納箱の材料である紙の使用量を増加させることなく、かつラップフィルムを切断する際の抵抗、特に上記した（１）と（２）の切断方法のように、ラップフィルムを、収納箱に取り付けられた切断刃のいずれかの端部から切断を開始する場合、初期のカット抵抗を小さくさせることによって全体的なカット性を向上させたラップフィルム用収納箱を提供することを目的とする。
【課題を解決するための手段】
【０００７】
本発明者らは、上記課題を解決するため、切断刃が取り付けられた部位、即ち、掩蓋片の下方先端部において、その長手方向の両端辺の少なくとも片辺の先端領域を前板側に傾斜させることにより、又は他の型の収納箱の場合には、前板の上方先端部において、その長手方向の両端辺の少なくとも片辺の先端領域を収納室の内側に傾斜させることにより、ラップフィルムの切断開始時にラップフィルムの端部が切断刃に食い込み易くなり、全体的な切断性能が向上することを見出し、本発明を完成させるに至った。
すなわち、本発明は、下記の通りである。
（ｉ）前板１、底板２、後板３、脇板７、前板補助脇板６、及び後板補助脇板８の各面で形成される上部が開口した収納室１１と、その収納室１１の後板３の上端縁から開閉可能で収納室１１を覆う方向に連接した蓋板４と、その蓋板４の前端縁から前板１を覆う方向に延出した掩蓋片５と、掩蓋片脇板９、掩蓋片補助脇板１０の各面で形成される蓋体１２からなる直方体の箱体と、前記収納室１１に収納される巻筒体Ｚからなり、掩蓋片５の先端部に巻筒体Ｚから引き出されたラップフィルムを切断するための切断刃Ｃが備えられたラップフィルム用収納箱において、掩蓋片５の長手方向の両端辺の少なくとも片辺の先端領域２０が前板１側に傾斜していることを特徴とするラップフィルム用収納箱。
【０００８】
（ｉｉ）前板１、底板２、後板３、及び脇板７、前板補助脇板６、後板補助脇板８の各面で形成される上部が開口した収納室１１と、その収納室１１の後板３の上端縁から開閉可能で収納室１１を覆う方向に連接した蓋板４と、その蓋板４の前端縁から前板１を覆う方向に延出した掩蓋片５と、掩蓋片脇板９、掩蓋片補助脇板１０の各面で形成される蓋体１２からなる直方体の箱体と、前記収納室１１に収納される巻筒体Ｚからなり、掩蓋片５の先端部に巻筒体Ｚから引き出されたラップフィルムを切断するための切断刃Ｃが備えられたラップフィルム用収納箱において、掩蓋片５の長手方向の両端辺の少なくとも片辺の先端領域２０が前板１側に傾斜を有しており、且つ前記切断刃Ｃの各刃先の先端を結ぶ仮想線が、切断刃Ｃの両端に向かうほど底板２方向に傾斜した、曲線及び／又は複数の直線の組み合わせからなり、且つその最両端の刃先の位置は、中央部分の刃先の位置より２ｍｍ〜１５ｍｍ底板２方向に突出していることを特徴とするラップフィルム用収納箱。
【０００９】
（ｉｉｉ）前板１、底板２、後板３、及び脇板７、前板補助脇板６、後板補助脇板８の各面で形成される上部が開口した収納室１１と、その収納室１１の後板３の上端縁から開閉可能で収納室１１を覆う方向に連接した蓋板４と、その蓋板４の前端縁から前板１を覆う方向に延出した掩蓋片５と、掩蓋片脇板９、掩蓋片補助脇板１０の各面で形成される蓋体１２からなる直方体の箱体と、前記収納室１１に収納される巻筒体Ｚからなり、前板１の先端部に巻筒体Ｚから引き出されたラップフィルムを切断するための切断刃Ｃが備えられたラップフィルム用収納箱において、前板１の長手方向の両端辺の少なくとも片辺の先端領域３０が収納室１１の内側に傾斜していることを特徴とするラップフィルム用収納箱。
【発明の効果】
【００１０】
本発明のラップフィルム用収納箱は、掩蓋片、又は前板の長手方向の両端辺の少なくとも片辺の先端領域に傾斜を付与するという簡単な手段で、収納箱の材料である紙の使用量を増加させることなく、かつ収納箱の製造工程の追加、変更等を実施しなくても、特にラップフィルムを切断する際の初期の抵抗を小さくし、全体的な切断性能を向上させる効果を有する。
【発明を実施するための最良の形態】
【００１１】
以下、図面に基づいて本発明の好ましい実施態様を説明する。
図７は、本発明のラップフィルムの収納箱の一例を示す斜視図である。図５は、図７の収納箱を脇板７側から見た側面図である（掩蓋片脇板９は非表示）。収納箱の内部には、紙製の芯体１４にラップフィルム１５が巻回された巻筒体Ｚが収納されている。
本発明の収納箱は、図１に示す収納箱の展開図のように、収納室１１と蓋体１２とからなる直方体の箱体である。収納室１１は、前板１、底板２、後板３、脇板７、前板補助脇板６、後板補助脇板８から形成され、上部が開口している部分である。蓋体１２は、その収納室１１の後板３の上端縁から開閉可能で収納室１１の開口部を覆う方向に連接した蓋板４と、その蓋板４の前端縁から前板１を覆う方向に延出した掩蓋片５と、掩蓋片脇板９、掩蓋片補助脇板１０から形成される。
【００１２】
前板１の上端から延びる縁折り片１３は、収納室１１の内側へ鋭角に折り曲げるだけでも、折り返して前板１の裏面に接着させてもよい。縁折り片１３は、存在しなくてもよい。
掩蓋片５の先端部には切断刃Ｃが取り付けられている。図７では、切断刃Ｃが取り付けられた領域を含む掩蓋片５の長手方向の両端辺の先端領域２０は前板１側に傾斜するように構成されており、そのため切断刃Ｃの端部は図５に示した側面図のように、前板１に対して鋭角をなしている。以下、上記の場合を説明するが、掩蓋片５の長手方向の片辺の先端領域２０のみが前板１側に傾斜しているものも本発明に含まれる。
【００１３】
図７では、切断刃Ｃの各刃先の先端を結ぶ仮想線の形状は、蓋板４側に凸のアーチ状をなしている。この切断刃Ｃの全体形状は左右対称が好ましく、最両端部分の刃先は中央部分の刃先の位置より２ｍｍ〜１５ｍｍ、底板２方向に突出していることが好ましい。２ｍｍ以上底板２方向に突出していることによって、ラップフィルムをいずれかの一側端からカットする場合に、最初にラップフィルムに当接する刃先数が少なくなり、その部分に応力集中をさせやすいので、初期のカット抵抗を更に低減できる。長さが１５ｍｍを超えると、カット後の前板１の中央部に残るラップフィルムの幅が短くなるため、次の使用時にラップフィルムの先端を巻筒体から引き出すのが困難になる場合がある。
【００１４】
切断刃Ｃの各刃先の先端を結ぶ仮想線の形状は、図７に示すような凸のアーチ状に限定されず、例えば、複数の直線の組み合わせによって蓋板４側に凸形状としてもよいし、直線と曲線の組み合わせでもよい。また、直線形状であってもよい。切断刃Ｃの先端にある刃先の形状は限定されない。好ましくは連続した三角形状で、その先端部の角度は４５°〜６５°、先端半径は３０μｍ〜８０μｍ、高さは０．５０ｍｍ〜１．００ｍｍ、ピッチは１．００ｍｍ〜２．００ｍｍである。更に、各刃先間の底辺部（谷部）に０．５０ｍｍ程度の直線平坦部を設けてもよい。これによってラップフィルムをカットした時に発生するカット端部の微小な亀裂を大幅に抑制することができ、意図しないラップフィルムの縦裂けトラブルを防止できる。
【００１５】
図２（ａ）及び（ｂ）は、図１に示した掩蓋片５と掩蓋片補助脇板１０の部分の例の拡大図である。掩蓋片５と掩蓋片補助脇板１０とを区分する折り曲げ線Ｇ（図２（ａ））及びＬ（図２（ｂ））の蓋板４側の起点Ｆ及びＫは、蓋板４と掩蓋片脇板９とを区分する折り曲げ線Ｄに対して僅かに蓋板４側に位置している。図２（ａ）において折り曲げ線Ｇは、掩蓋片補助脇板１０の一つの辺を形成し、起点Ｆから終点Ｊに延びている。図２（ｂ）において折り曲げ線Ｌは、掩蓋片補助脇板１０の一つの辺を形成し、起点Ｋから終点Ｎに延びている。
本発明の収納箱における図２（ａ）の折り曲げ線Ｇは、折り曲げ線Ｇの起点Ｆから蓋板４と掩蓋片５との折り曲げ線Ｅに垂直に延びる仮想直線Ｉに対して、終点Ｊに至る途中の変曲点Ｈにおいて掩蓋片補助脇板１０側に傾斜している。この折り曲げ線Ｇの傾斜部分は直線や円弧など任意の形状を採用してもよい。
【００１６】
折り曲げ線Ｇが変曲点Ｈから終点Ｊに向けて掩蓋片補助脇板１０側に傾斜しているので、図１の展開図を組み立てて収納箱を形成した場合、掩蓋片５の長手方向の両端辺の少なくとも片辺の先端領域２０が前板１側に傾斜を有する。
本発明の収納箱における図２（ｂ）の折り曲げ線Ｌは、折り曲げ線Ｌの起点Ｋから蓋板４と掩蓋片５との折り曲げ線Ｅに垂直に延びる仮想直線Ｉに対して円弧を形成し、円弧の頂点Ｍから終点Ｎに向けて掩蓋片補助脇板１０側に傾斜している。この折り曲げ線Ｌの傾斜部分は楕円弧など円弧以外の類似した曲線を採用してもよい。
折り曲げ線Ｌが頂点Ｍから終点Ｎに向けて掩蓋片補助脇板１０側に傾斜しているので、図１の展開図から組み立てて収納箱を形成した場合、掩蓋片５の長手方向の両端辺の少なくとも片辺の先端領域２０が前板１側に傾斜を有する。
【００１７】
折り曲げ線Ｇの終点Ｊから仮想直線Ｉへ延びる垂線、及び折り曲げ線Ｌの頂点Ｍから仮想直線Ｉへ延びる垂線の距離はｄである。この距離ｄの長さに応じて、図１の展開図から組み立てられた収納箱の、掩蓋片５の長手方向の両端辺の先端領域２０が前板１側に傾斜する角度が変わる。
折り曲げ線Ｇにおける終点Ｊに至る途中の変曲点Ｈの位置、又は折り曲げ線Ｌにおける円弧の頂点Ｍの位置は、掩蓋片５の長手方向の両端辺の先端領域２０が前板１側に傾斜するように設けられていればよく、図２（ａ）及び図２（ｂ）の形状に限定されない。
図１の掩蓋片５の下端には開封用のミシン目等の破断線を介して開封片が設けられているが、ここでは図示していない。
【００１８】
図３は、本発明の別の型のラップフィルム用収納箱の展開図である。図６は、図３の展開図から組み立てた収納箱の側面図である（脇板７、掩蓋片脇板９、掩蓋片補助脇板１０は非表示）。図３で示した収納箱を構成する要素の大部分は図１で示した収納箱と同じであるが、大きく異なるのは切断刃Ｃを取り付ける位置が、前板１の先端部であることと、傾斜が付与される折り曲げ線が、前板１と前板補助脇板６とを区分する折り曲げ線Ｒ又はＷの部分であることである。そのため、図３で示した収納箱においては、切断刃Ｃの端部は図６に示した側面図のように、収納室１１の内側に傾斜している。以下、上記の場合を説明するが、前板１の長手方向の片辺の先端領域３０のみが収納室１１の内側に傾斜しているものも本発明に含まれる。
【００１９】
図４（ａ）及び（ｂ）は、図３に示した前板１と前板補助脇板６の部分の例の拡大図である。前板１と前板補助脇板６とを区分する折り曲げ線Ｒ（図４（ａ））及びＷ（図４（ｂ））の底板２側の起点Ｑ及びＶは、底板２と脇板７とを区分する折り曲げ線Ｏに対して僅かに底板２側に位置している。図４（ａ）において、折り曲げ線Ｒは、前板補助脇板６の一つの辺を形成し、起点Ｑから終点Ｕに延びている。図４（ｂ）において、折り曲げ線Ｗは、前板補助脇板６の一つの辺を形成し、起点Ｖから終点Ｙに延びている。
本発明の収納箱における図４（ａ）の折り曲げ線Ｒは、折り曲げ線Ｒの起点Ｑから前板１と底板２との折り曲げ線Ｐに垂直に延びる仮想直線Ｔに対して、終点Ｕに至る途中の変曲点Ｓにおいて前板補助脇板６側に傾斜している。この折り曲げ線Ｒの傾斜部分は直線や円弧など任意の形状を採用してよい。折り曲げ線Ｒが変曲点Ｓから終点Ｕに向けて前板補助脇板６側に傾斜しているので、図３の展開図から組み立てて収納箱を形成した場合、前板１の長手方向の両端辺の少なくとも片辺の先端領域３０が収納室１１の内側に傾斜を有する。
【００２０】
本発明の収納箱における図４（ｂ）の折り曲げ線Ｗは、折り曲げ線Ｗの起点Ｖから前板１と底板２との折り曲げ線Ｐに垂直に延びる仮想直線Ｔに対して円弧を形成し、円弧の頂点Ｘから終点Ｙに向けて前板補助脇板６側に傾斜している。この折り曲げ線Ｗの傾斜部分は楕円弧など円弧以外の曲線を採用してもよい。折り曲げ線Ｗが頂点Ｘから終点Ｙに向けて前板補助脇板６側に傾斜しているので、図３の展開図から組み立てて収納箱を形成した場合、前板１の長手方向の両端辺の少なくとも片辺の先端領域３０が収納室１１の内側に傾斜を有する。
折り曲げ線Ｒの終点Ｕから仮想直線Ｔへ延びる垂線、及び折り曲げ線Ｗの頂点Ｘから仮想直線Ｔへ延びる垂線の距離はｅである。この距離ｅの長さに応じて、図３の展開図から組み立てられた収納箱の、前板の長手方向の両端辺の先端領域３０が収納室１１の内側に傾斜する角度が変わる。
【００２１】
折り曲げ線Ｒにおける終点Ｕに至る途中の変曲点Ｓの位置、又は折り曲げ線Ｗにおける円弧の頂点Ｘの位置は、前板の長手方向の両端辺の先端領域３０が収納室１１の内側に傾斜するように設けられていればよく、図４（ａ）及び図４（ｂ）の形状に限定されない。
図３の掩蓋片５の下端には、通常、開封用のミシン目等の破断線を介して開封片が設けられているが、ここでは図示していない。なお、図３で示した収納箱においては、掩蓋片脇板９及び掩蓋片補助脇板１０が存在しなくてもよい。
ｄ及びｅの値が大きいほど、ラップフィルムの切断を一側端から開始する時の初期のラップフィルムへの刃先の食い込み性はよくなる。しかし、あまりに大きすぎると、箱を組み立てる工程において、収納箱を直方体に成形することが困難になる。したがって、ｄ及びｅの値は収納箱の大きさにもよるが、収納箱の側面が約４１ｍｍ〜５１ｍｍのほぼ正方形状である場合、０ｍｍより大きく、２ｍｍ以下が好ましい。
【００２２】
ラップフィルムを切断する際の初期の抵抗を小さくし、全体的な切断性能を向上させる上で、図１及び図３のように、掩蓋片５又は前板１の長手方向の両端辺の先端領域２０又は３０が傾斜していることが好ましい。
図８は、ラップフィルムを端部からカットする際のカット抵抗の一例を示したグラフである。このグラフの全面積（Ａ＋Ｂ）がラップフィルムのカットエネルギーを示し、カット開始から最大抵抗に至るまでの面積（Ａ）がカット開始エネルギーを示す。ラップフィルムのカット性を向上させるためには、特に面積（Ａ）で示されるカット開始エネルギーを低下させることが有効である。
【００２３】
本発明のラップフィルム用収納箱においては、切断刃Ｃが取り付けられた掩蓋片５の長手方向の両端辺の少なくとも片辺の先端領域２０、又は前板１の長手方向の両端辺の少なくとも片辺の先端領域３０の部分が、前板１側、又は収納室１１の内側に傾斜するような構成となっているので、ラップフィルムを一側端からカットする場合の食い込み性（切れ始め）が向上し、カット開始エネルギー（面積（Ａ））を低下させる効果がある。
本発明のラップフィルム用収納箱において、切断刃を構成する素材はブリキ等の金属、プラスチック、紙等、公知の材料を用いればよい。切断刃の形状は、直線状、Ｖ字状、アーチ状等特に限定はされないが、ラップフィルムを一側端から切断する場合は、切断開始時のラップフィルムへの食い込み性を考慮すると、図７に示したようなアーチ状が好ましい。
【００２４】
本発明のラップフィルム用収納箱に使用される素材は特に制限しないが、坪量４００〜７００ｇ／ｍ２程度の一般的なコートボール紙が好ましい。収納箱の強度が上がると切断能力も向上するので、強度的に優れるＦ−フルート、Ｇ−フルート等の薄物段ボールを用いてもよい。
本発明の収納箱に収納される巻筒体は、各種樹脂製のラップフィルム、アルミホイル、クッキングペーパー等特に制限はないが、ポリ塩化ビニル、ポリ塩化ビニリデン、ポリエチレン等のラップフィルムが特に好ましい。
【実施例】
【００２５】
以下、本発明を実施例に基づいて説明する。
［実施例１]
図２（ａ）において、ＦとＨとの距離が１５ｍｍ、ｄが１．５ｍｍの折り曲げ線Ｇで構成された、高さ約４４ｍｍ、奥行き約４４ｍｍ、長さ約３１７ｍｍの収納箱を準備した。
この収納箱に、約３０７ｍｍ（長さ）×３７ｍｍ（外径）の紙製芯体に約２０ｍ（長さ）巻回された約３００ｍｍ（幅）のポリ塩化ビニリデン製フィルム（厚み約１０．８μｍ）を収納した。掩蓋片５裏面の先端には、ポリ乳酸（三井化学（株）製ＬＡＣＥＡ（登録商標）シートＯＦ−１９０からなる厚み０．１９ｍｍで、先端部が連続した三角形状の切断刃を付設した。
この試料を用いて、以下に示す評価方法でカットエネルギー（Ｃ．Ｅ．）及びカット開始エネルギー（Ｃ．Ｓ．Ｅ．）を測定した。
【００２６】
［実施例２〜４]
切断刃の素材及び形状以外は、実施例１と同様な操作を実施した。実施例２の素材には、ブリキを、実施例３の素材にはバルカナイズドファイバー（東洋ファイバー（株）製ＰＫ−９２ＬＷ）を、実施例４では切断刃の形状として、切断刃の最両端部の刃先が中央部の刃先よりも６．５ｍｍ底板２側へ突出したアーチ状をそれぞれ採用した。この試料を用いて、Ｃ．Ｅ．及びＣ．Ｓ．Ｅ．を測定した。
【００２７】
［実施例５]
図４（ａ）において、ＱとＳとの距離が２２ｍｍ、ｅが１．５ｍｍの折り曲げ線Ｒで構成された、高さ約４４ｍｍ、奥行き約４４ｍｍ、長さ約３１７ｍｍの収納箱を準備した。
この収納箱に、約３０７ｍｍ（長さ）×３７ｍｍ（外径）の紙製芯体に約２０ｍ（長さ）巻回された約３００ｍｍ（幅）のポリ塩化ビニリデン製フィルム（厚み約１０．８μｍ）を収納した。また前板の上先端裏側には、ポリ乳酸（三井化学（株）製ＬＡＣＥＡ（登録商標）シートＯＦ−１９０からなる厚み０．１９ｍｍで、先端部が連続した三角形状の切断刃を付設した。この試料を用いて、Ｃ．Ｅ．及びＣ．Ｓ．Ｅ．を測定した。
【００２８】
［実施例６、７]
図２（ａ）において、折り曲げ線Ｇの形状以外は、実施例１と同様の操作を実施した。折り曲げ線ＧにおけるＦとＨとの距離を１５ｍｍとし、ｄを、実施例６では１．０ｍｍ、実施例７では２．０ｍｍとした。この試料を用いて、Ｃ．Ｅ．及びＣ．Ｓ．Ｅ．を測定した。
【００２９】
［比較例１]
図２において、折り曲げ線Ｇが、蓋板４と掩蓋片５を区分する折り曲げ線Ｅに対して垂直な直線とした以外は、実施例１と同様な操作を実施した。この試料を用いて、Ｃ．Ｅ．及びＣ．Ｓ．Ｅ．を測定した。
【００３０】
［比較例２〜４]
切断刃の素材や形状以外は、比較例１と同様な操作を実施した。比較例２の素材には、ブリキを、比較例３の素材にはバルカナイズドファイバー（東洋ファイバー（株）製ＰＫ−９２ＬＷ）を、比較例４では切断刃の形状として、切断刃の最両端部の刃先が中央部の刃先よりも６．５ｍｍ底板２側へ突出したアーチ状をそれぞれ採用した。この試料を用いて、Ｃ．Ｅ．及びＣ．Ｓ．Ｅ．を測定した。
【００３１】
［比較例５]
図４（ａ）において、折り曲げ線Ｒが、前板１と底板２を区分する折り曲げ線Ｐに対して垂直な直線とした以外は、実施例５と同様な操作を実施した。この試料を用いて、Ｃ．Ｅ．及びＣ．Ｓ．Ｅ．を測定した。
実施例１〜７のＣ．Ｅ．及びＣ．Ｓ．Ｅ．を表１に、比較例１〜５のＣ．Ｅ．及びＣ．Ｓ．Ｅ．を表２に示す。
【００３２】
［評価方法]
各実施例で示した収納箱からラップフィルムを約３０ｃｍ引き出した状態で、（株）島津製作所製のオートグラフ（型番：ＡＧ−ＩＳ）に取り付けた。この時、ラップフィルムの引き出し方向に対して収納箱の長手方向が２５°傾斜するように収納箱を固定し、実施例１〜４、６〜７と比較例１〜４ではラップフィルムと収納箱の前板がなす角度は９０°に（蓋体は閉じた状態で、掩蓋片中央部分（２ｃｍ×２ｃｍ）をＬ字アングルで固定）、実施例５と比較例５ではラップフィルムと収納箱の前板１がなす角度は４５°に（蓋体は開いた状態）設定した。引き出したラップフィルムの先端部は全幅を５ｍｍ幅の両面テープを介して樹脂製のプレートに貼り付けてロードセルに取り付けた。サンプルの設置後、装置を５００ｍｍ／ｍｉｎの速度でラップフィルムの切断が終了するまで動作させ、図８に示すようなカット抵抗のグラフを得た。
【００３３】
図８において、カット抵抗の全面積（Ａ＋Ｂ）をＣ．Ｅ．、カット開始から抵抗値が最大になるまでの面積（Ａ）をＣ．Ｓ．Ｅ．とした（同じサンプルで５回操作した時の平均値）。
表１と表２より、各実施例と比較例の同じ番号どうし（切断刃の素材や形状が同じで折り曲げ線Ｇ、又はＲの形状が異なるもの）を比較すると、本発明の範囲内である実施例の方がＣ．Ｅ．（全体的な切断のし易さの指標）やＣ．Ｓ．Ｅ．（切断初期における刃先のラップフィルムへの食い込み易さの指標）が小さくなり、ラップフィルムの切断性が向上している。特にＣ．Ｓ．Ｅ．の値については実施例の方がほぼ半減しており、掩蓋片、又は前板の長手方向の両端辺の先端領域へ傾斜を付与した効果によって、ラップフィルムの初期のカット抵抗が減少する。
切断刃の素材と形状が同じである比較例１、実施例１、６、７より、距離ｄが大きくなるほどＣ．Ｓ．Ｅ．が低下するため、ラップフィルムの初期のカット抵抗が減少する。
距離ｄと切断刃の素材は同じで、切断刃の形状が異なる実施例１と４より、切断刃をアーチ状に変更することでＣ．Ｓ．Ｅ．が更に低下するため、ラップフィルムの初期のカット抵抗が更に減少する。
【００３４】
【表１】
2007269378.tif 000003
【００３５】
【表２】
2007269378.tif 000004
【産業上の利用可能性】
【００３６】
本発明は、巻筒体から引き出されたラップフィルムを切断して使用するためのラップフィルム用収納箱の分野で好適に使用できる。
【図面の簡単な説明】
【００３７】
【図１】本発明のラップフィルム用収納箱の一例の展開図である。
【図２】図１の収納箱における掩蓋片と掩蓋片補助脇板を区分する部分を示す拡大図である。（ａ）は、折り曲げ線Ｇが直線と曲線の組み合わせの例、（ｂ）は、折り曲げ線Ｌが曲線の例を示す図である。
【図３】本発明のラップフィルム用収納箱の他の例の展開図である。
【図４】図３の収納箱における前板と前板補助脇板とを区分する部分を示す拡大図である。（ａ）は、折り曲げ線Ｒが直線と曲線の組み合わせの例、（ｂ）は、折り曲げ線Ｗが曲線の例を示す図である。
【図５】図１から組み立てられた収納箱の側面図である。
【図６】図３から組み立てられた収納箱の側面図である。
【図７】アーチ状の切断刃を持つ収納箱の斜視図である。
【図８】オートグラフでカット抵抗を測定した時の一例を示すグラフである。
【図１】
2007269378.tif 000005
【図２】
2007269378.tif 000006
【図３】
2007269378.tif 000007
【図４】
2007269378.tif 000008
【図５】
2007269378.tif 000009
【図６】
2007269378.tif 000010
【図７】
2007269378.tif 000011
【図８】
2007269378.tif 000012